(57)【要約】【課題】本発明は、球技用透明ボールに係り、ボール中心を外部から視認し易くしつつ、外部からの衝撃に対する表面強度を全面内で均一化することにある。【解決手段】球技用透明ボール１０は、透明性を有する中空の表層部材１２と、表層部材１２の内周側空間に収容され、複数の室１６に区分けされた透明性を有する分室構造チューブ１４と、中心近傍に設けられた外部から視認可能な中心球２０と、を備える。また、中心球２０は、分室構造チューブ１４に対して中心側に形成される球状空間１８に封入される彩色される。【選択図】図１
2013141513.tif 000002
【特許請求の範囲】
【請求項１】
透明性を有する中空の表層部材と、
前記表層部材の内周側空間に収容され、複数の室に区分けされた透明性を有する分室構造チューブと、
中心近傍に設けられた外部から視認可能な中心体と、
を備えることを特徴とする球技用透明ボール。
【請求項２】
前記中心体は、前記分室構造チューブに対して中心側に形成される球状空間に封入される彩色された中心球であることを特徴とする請求項１記載の球技用透明ボール。
【請求項３】
前記中心体は、前記分室構造チューブの、中心側に形成される球状空間に面する部位に彩色が施されることにより、或いは、該部位に装着されるパネルに彩色が施されることにより形成されることを特徴とする請求項１記載の球技用透明ボール。
【請求項４】
前記表層部材に開けられた、前記分室構造チューブの一つの室に連通する単一の空気穴と、
前記分室構造チューブの各室を前記一つの室に連通させる空気通路と、
を備えることを特徴とする請求項１乃至３の何れか一項記載の球技用透明ボール。
【請求項５】
前記分室構造チューブは、互いに同じ形状を有する６つの室に区分けされていることを特徴とする請求項１乃至４の何れか一項記載の球技用透明ボール。
【発明の詳細な説明】
【技術分野】
【０００１】
本発明は、球技用透明ボールに係り、特に使用者にボールの中心を意識させる球技練習などに好適な球技用透明ボールに関する。
【背景技術】
【０００２】
従来、球技練習に適した球技用透明ボールが知られている（例えば、特許文献１参照）。この球技用透明ボールは、透明性を有する素材からなる中空の表層部材と、表層部材の内周側空間の中心近傍に設けられた外部から視認可能な中心球と、を備えている。この中心球は、表層部材の内壁面に一端が固定された中心球支持体の他端に接続されており、その中心支持体により支持されている。
【先行技術文献】
【特許文献】
【０００３】
【特許文献１】特開平９−２４１２８号公報
【発明の概要】
【発明が解決しようとする課題】
【０００４】
しかしながら、上記した特許文献１記載の球技用透明ボールの構造では、中心球を表層部材に支持する中心支持体が、透明性を有する表層部材の内周側空間に設けられる。この中心支持体の構造物は、ボールの中心軸上に位置する線状体であって、金属や合成樹脂からなると共に、この中心支持体をなす線状体は、２〜６本設けられて中心球と表層部材とを２〜６箇所で接続させる。このため、上記した特許文献１記載のボール構造では、表層部材の内周側空間における中心支持体の構造物の存在に起因して、使用者が外部からボール中心を視認し難くなるおそれがあると共に、外部からの衝撃に対する表面強度が全面内で不均一になり衝撃安定性が損われるおそれがある。
【０００５】
本発明は、上述の点に鑑みてなされたものであり、ボール中心を外部から視認し易くしつつ、外部からの衝撃に対する表面強度を全面内で均一化することが可能な球技用透明ボールを提供することを目的とする。
【課題を解決するための手段】
【０００６】
上記の目的は、透明性を有する中空の表層部材と、前記表層部材の内周側空間に収容され、複数の室に区分けされた透明性を有する分室構造チューブと、中心近傍に設けられた外部から視認可能な中心体と、を備える球技用透明ボールにより達成される。
【発明の効果】
【０００７】
本発明によれば、ボール中心を外部から視認し易くしつつ、外部からの衝撃に対する表面強度を全面内で均一化することができる。
【図面の簡単な説明】
【０００８】
【図１】本発明の第１実施例である球技用透明ボールの全体外観図である。
【図２】本実施例の球技用透明ボールの有するチューブの要部形状を表した図である。
【図３】本実施例の球技用透明ボールを所定箇所で切断した場合の分解図である。
【図４】本実施例の球技用透明ボールの有するチューブの全体形状を表した図である。
【図５】本実施例の球技用透明ボールの有するチューブをボール中心から見た際の図である。
【図６】本実施例の球技用透明ボールの有する中心球がゴム製チューブにより構成される場合の正面図である。
【図７】本発明の第２実施例である球技用透明ボールの有するチューブの要部形状を表した図である。
【発明を実施するための形態】
【０００９】
以下、図面を用いて、本発明に係る球技用透明ボールの具体的な実施の形態について説明する。
【実施例１】
【００１０】
図１は、本発明の第１実施例である球技用透明ボール１０の全体外観図を示す。図２は、本実施例の球技用透明ボール１０の有するチューブの要部形状を表した図を示す。図３は、本実施例の球技用透明ボール１０を所定箇所で切断した場合の分解図を示す。尚、図３には、後述のチューブ１４の室１６が３つだけ組み合わされた状態から一つの室１６が分解された状態が示されている。図４は、本実施例の球技用透明ボール１０の有するチューブの全体形状を表した図を示す。尚、図４（ａ）には正面図を、図４（ｂ）には図４（ａ）に示すチューブを図中上下に延びる軸の周りに上方から見て反時計回りに６０°回転させた場合の正面図を、図４（ｃ）には図４（ｂ）に示すチューブを図中上下に延びる軸の周りに上方から見て反時計回りに６０°回転させた場合の正面図を、また、図４（ｄ）には図４（Ａ）に示すチューブを図中上方から見た際の上面図を、それぞれ示す。
【００１１】
本実施例の球技用透明ボール１０は、例えばサッカーボールやバスケットボール，バレーボール，テニスボール，ハンドボール，野球用ボール，ラグビーボール，子供が遊ぶ際に使用される遊戯用ボールなどに適用される球状ボールである。図１に示す如く、球技用透明ボール１０は、中空の表層部材１２を備えている。表層部材１２は、外部に表出する表皮パネルと、その表皮パネルの裏面に接着・固定される、その表皮パネルを補強する補強層と、からなる。表層部材１２は、その球体全面で均一な厚さを有している。表層部材１２は、透明性を有する素材（例えば、塩化ビニル樹脂などの合成樹脂など）により成形された中空成形体である。尚、表層部材１２は、使用者に正規の競技用ボールと同じ感覚を付与する素材を使用することが望ましい。また、表層部材１２は、複数の片が平面的に縫い合わされることで成形されるものであってもよい。
【００１２】
球技用透明ボール１０は、また、表層部材１２の内周側空間に収容されるチューブ１４を備えている。チューブ１４は、透明性を有する素材（例えば、塩化ビニル樹脂などの合成樹脂など）により成形された、内部に空気を充填することが可能な中空成形体である。尚、チューブ１４は、使用者に正規の競技用ボールと同じ感覚を付与する素材を使用することが望ましい。チューブ１４は、空気が充填される室１６が複数（本実施例では６個）に区分けされた分室構造チューブである。チューブ１４は、複数の室１６が適切に組み合わされた際に全体として、略球状に形成されつつ、中心Ｏ側に中空空間（後述の球状空間）を構成するように形成される。
【００１３】
各室１６はそれぞれ、図２に示す如く、球の一部を切り取った独立した形状からなり、互いに同じ形状を有している。各室１６はそれぞれ、空気が充填されている場合に、表層部材１２の内周壁面に接する外壁１６ａと、後述の中心球の外壁面に接する内壁１６ｂと、隣接する室１６の側壁に接する４つの側壁１６ｃと、により囲まれた空間である。外壁１６ａ及び内壁１６ｂはそれぞれ、円弧状に形成されている。また、各側壁１６ｃは、平面状に形成されている。
【００１４】
各室１６はそれぞれ、空気が充填されている場合、球技用透明ボール１０の中心Ｏから表層部材１２の内周壁面までの距離と同程度の外径を有し、かつ、球技用透明ボール１０の中心Ｏから後述の中心球の外壁面までの距離と同程度の内径を有している。各室１６はそれぞれ、径方向に所定の厚さを有している。各室１６はそれぞれ、中心Ｏから見て正方形の外形を有している。各室１６はそれぞれ、４つの側壁１６ｃにおいて４つの室１６と隣接しており、それら４つの室１６により囲まれている。
【００１５】
チューブ１４は、空気が充填されている場合、６つの室１６が適切に配置されて組み合わされることにより全体として略球状となる（図４（ａ）〜（ｄ）参照）。尚、空気が充填された６つの室１６が適切に配置されて組み合わされた場合、チューブ１４の外周には、３つの室１６の構成点が一致する頂点が８つ形成される（図１及び図４に示すＡ点〜Ｈ点）。また、空気が充填された６つの室１６が適切に配置されて組み合わされた場合、そのチューブ１４に対する中心Ｏ側には、球状空間１８が形成される。
【００１６】
球技用透明ボール１０は、更に、中心Ｏ近傍に設けられた中心球２０を備えている。中心球２０は、上記の球状空間１８の径に合致する所定の径を有している。中心球２０は、外壁面の外周側をチューブ１４により囲まれ、チューブ１４に対して中心Ｏ側に形成される球状空間１８に封入される。中心球２０は、外壁面がチューブ１４の室１６の内壁１６ｂに接することにより、チューブ１４に対して支持される。中心球２０の径と球技用透明ボール１０全体の径との比率は、例えば、人の虹彩（黒目）又は瞳の大きさ（例えば２〜８ｍｍ）と眼球（白目）の大きさ（例えば２４ｍｍ）との比率に準じて、１〜４：１２に設定されることとすればよい。
【００１７】
中心球２０は、非透明な素材（例えば、青色や赤色，蛍光色などで彩色された合成樹脂やプラスチックなど）により形成されている。中心球２０は、上記したチューブ１４とは別個独立した内部に空気を充填することが可能な球状のゴム製チューブ（中空成形体）であってもよく、また、例えばピンポン玉の如きプラスチック製素材により成形された中空構造球であってもよい。
【００１８】
図５は、本実施例の球技用透明ボール１０の有するチューブ１４を中心Ｏから見た際の図を示す。また、図６は、本実施例の球技用透明ボール１０の有する中心球２０がゴム製チューブにより構成される場合の正面図を示す。
【００１９】
また、本実施例において、球技用透明ボール１０は、外部から空気を注入し或いはチューブ１４から空気を排出するための単一の空気穴２２を備えている。空気穴２２は、表層部材１２に開けられており、チューブ１４の一つの室１６に連通している。チューブ１４の各室１６の側壁１６ｃには、空気を流通させるための空気流通穴２４が設けられている。この空気流通穴２４は、室１６ごとに、図５（ａ）に示す如く互いに隣接する２つの側壁１６ｃに、図５（ｂ）に示す如く対向する２つの側壁１６ｃに、又は図５（ｃ）に示す如く一つの側壁１６ｃに、設けられる。
【００２０】
各室１６は空気穴２２が連通する室１６を除いてすべて、その空気穴２２が連通する室１６に空気通路２４を介して連通している。すなわち、空気通路２４は、各室１６を空気穴２２が連通する室１６に連通させる。このため、球技用透明ボール１０において、外部から空気穴２２を介して空気が注入されると、チューブ１４のすべての室１６に空気流通穴２４を介して空気が充填されることで、チューブ１４全体が膨張する。
【００２１】
尚、本実施例において、中心球２０がゴム製チューブにより構成される場合は、中心球２０に、空気を流通させるための空気流通穴２６が設けられると共に、チューブ１４の一つの室１６の内壁１６ｂに、空気を流通させるための空気流通穴（図示せず）が設けられることとすればよい。この一つの室１６の内壁１６ｂの空気流通穴と中心球２０の空気流通穴２６とは連通される。かかる構造においては、外部から空気穴２２を介して空気が注入された際に、中心球２０内に空気が充填されることで、その中心球２０が膨張する。
【００２２】
上記した球技用透明ボール１０においては、チューブ１４に空気が充填される前、彩色された中心球２０がチューブ１４に対する中心側の球状空間１８に収められる。そして、表層部材１２の内周側空間に収容されたチューブ１４に空気が充填される。かかる空気充填が行われると、チューブ１４の各室１６が膨らんでそれらの側壁１６ｃが互いに密接すると共にかつそれらの内壁１６ｂが中心球２０の外壁面に接することで、チューブ１４が表層部材１２の内周側空間内において中心球２０の全周を取り囲むようにその中心球２０を支持するものとなる。この点、中心球２０は、その中心球２０の全周でチューブ１４が中心Ｏ側へ向けて膨張する力を利用して弾性的に支持される。
【００２３】
かかる球技用透明ボール１０の構造によれば、表層部材１２の内周側空間内で中心球２０を中心Ｏ近傍で支持するのに、弾性を有するチューブ１４以外に、その中心球２０に接続連結させる構造物を設けることは不要である。このため、本実施例によれば、その構造物の存在に起因して外部からの衝撃に対する表面強度が全面内で不均一となることはなく、その表面強度を全面内で均一化することが可能であると共に、その衝撃に対する安定性を確保することが可能である。
【００２４】
また、上記した球技用透明ボール１０においては、彩色された中心球２０の全周に設けられる部材が、透明性を有する表層部材１２及びチューブ１４だけであって、その中心球２０の外周にはその中心球２０を支持するための構造物などが存在しない。このため、本実施例によれば、彩色された中心球２０を使用者に外部から視認させ易くすることが可能である。
【００２５】
従って、本実施例の球技用透明ボール１０によれば、ボール中心を外部から視認し易くしつつ、外部からの衝撃に対する表面強度を全面内で均一化することができる。このため、使用者にボール中心を常に意識させることができるので、使用者に正規の競技用ボールと同じ感覚を持たせつつ球技練習に適した球技用透明ボールを提供することが可能である。
【００２６】
尚、上記の第１実施例においては、チューブ１４が特許請求の範囲に記載した「分室構造チューブ」に、中心球２０が特許請求の範囲に記載した「中心体」に、それぞれ相当している。
【実施例２】
【００２７】
上記した第１実施例では、分室構造のチューブ１４に対する中心側の球状空間１８に、構造物としての中心球２０を封入し、その中心球２０に彩色を施すことで、使用者にボール中心を外部から視認させ易くした。これに対して、本発明の第２実施例においては、上記の球状空間１８に彩色された構造物としての中心球を設けることなく、使用者にボール中心を外部から視認させ易くした。
【００２８】
図７は、本実施例の球技用透明ボールの有するチューブの要部形状を表した図を示す。本実施例において、球技用透明ボールは、有形の構造物としての中心球を備えていないと共に、表層部材１２の内周側空間に収容されるチューブを備えている。このチューブは、上記した第１実施例のチューブ１４と同様の形状及び透明性を有しており、互いに同じ形状を有する複数の室１００に区分けされている。
【００２９】
各室１００はそれぞれ、空気が充填されている場合に、表層部材１２の内周壁面に接する円弧状の外壁１００ａと、球状空間１８を形成する円弧状の内壁１００ｂと、隣接する室１００の側壁に接する平面状の４つの側壁１００ｃと、により囲まれた空間である。内壁１００ｂは、チューブの球状空間１８に面する外壁１００ａ及び側壁１００ｃと異なり、その全体が非透明（例えば、青色や赤色，蛍光色など）となるように彩色されている。
【００３０】
このような球技用透明ボールにおいては、表層部材１２の内周側空間に収容されたチューブに空気が充填されると、各室１００が膨らんでそれらの側壁１００ｃが互いに密接する。かかる状態が実現されると、チューブの各室１００の内壁１００ｂが、中心Ｏ側に球状空間１８を形成しつつ、彩色が施された球状の中心体を形成する。すなわち、各室１００の内壁１００ｂに彩色が施されてすべての室１００が組み合わされると、すべての室１００の内壁１００ｂにより、外部から視認可能な球状の中心体が形成される。
【００３１】
かかる構造によれば、上記した第１実施例の構造と異なり、使用者にボール中心を外部から視認させるうえで、チューブの各室１００の内壁１００ｂに彩色を施すこととすれば十分であって、有形の構造物としての彩色が施された中心球を設けることは不要であると共に、また、これにより、その中心球を支持するための構造物を設けることも不要である。このため、本実施例によれば、上記した第１実施例の構造と同様に、中心球を支持するための構造物の存在に起因して外部からの衝撃に対する表面強度が全面内で不均一となることはなく、その表面強度を全面内で均一化することが可能であると共に、その衝撃に対する安定性を確保することが可能であると共に、彩色された中心体を使用者に外部から視認させ易くすることが可能である。
【００３２】
従って、本実施例の球技用透明ボールにおいても、ボール中心を外部から視認し易くしつつ、外部からの衝撃に対する表面強度を全面内で均一化することができるので、使用者にボール中心を常に意識させることができるので、使用者に正規の競技用ボールと同じ感覚を持たせつつ球技練習に適した球技用透明ボールを提供することが可能である。
【００３３】
また、本実施例においては、球技用透明ボールを構成するうえで有形の構造物としての中心球は不要であって、球技用透明ボールの製造段階でチューブへの空気充填前にチューブの中心側に形成される球状空間１８に中心球を収めることは不要であるので、ボール製造を簡易な構成で実現することが可能である。
【００３４】
尚、上記の第２実施例においては、空気が充填されたすべての室１００が組み合わされた際に各室１００の内壁１００ｂにより形成される、外部から視認可能な球状の中心体が特許請求の範囲に記載した「中心体」に相当している。
【００３５】
また、上記の第２実施例においては、彩色が施された中心体を形成するのに、チューブの各室１００の内壁１００ｂに直接に彩色を施すこととしているが、本発明はこれに限定されるものではなく、透明性を有する内壁１６ｂに装着されたパネルに彩色を施すこととしてもよい。すなわち、その内壁１６ｂに合致する形状を有する板状のパネルを設けたうえで、そのパネルに彩色を施し、そのパネルを内壁１６ｂに装着することとしてもよい。尚、このパネルは樹脂製のものであってもよい。
【００３６】
ところで、上記の第１及び第２実施例においては、チューブ１４を６つの室１６に区分けすることとしているが、４つの室や８つの室，１２個の室に区分けすることとしてもよい。かかる変形例においては、室の数に合わせて、互いに同じ形状となるようにその室の形状を設定するものとすればよい。
【００３７】
また、上記の第１及び第２実施例においては、中心球２０又は内壁１００ｂに彩色が施されるが、この彩色は一色だけであってもよいが、複数の色を組み合わせたものであってもよく、また、使用者の見る角度に応じて変色されるものであってもよい。
【００３８】
更に、上記の第１及び第２実施例においては、球技用透明ボールのチューブに空気を充填するうえで単一の空気穴２２を設けることとしているが、チューブの各室ごとに空気を注入／排出する空気穴を設け、複数の空気穴を表層部材１２に設けることとしてもよい。かかる変形例においては、各室間を連通させる空気通路は不要である。
【符号の説明】
【００３９】
１０  球技用透明ボール
１２  表層部材
１４  チューブ
１６  室
１８  球状空間
２０  中心球
２２  空気穴
２４  空気通路
【図１】
2013141513.tif 000003
【図２】
2013141513.tif 000004
【図３】
2013141513.tif 000005
【図４】
2013141513.tif 000006
【図５】
2013141513.tif 000007
【図６】
2013141513.tif 000008
【図７】
2013141513.tif 000009
【手続補正書】
【提出日】平成24年4月18日(2012.4.18)
【手続補正１】
【補正対象書類名】特許請求の範囲
【補正対象項目名】全文
【補正方法】変更
【補正の内容】
【特許請求の範囲】
【請求項１】
透明性を有する中空の表層部材と、
前記表層部材の内周側空間に収容され、区分けされた複数の室が組み合わされた際に全体として略球状に形成されつつ中心側に球状空間を構成するように形成される、透明性を有する分室構造チューブと、
中心近傍に設けられた外部から視認可能な中心体と、
を備え、
前記中心体は、前記球状空間に封入される彩色された中心球であり、外壁面全周が該分室構造チューブの内壁に接して取り囲まれることで該分室構造チューブにより支持されることを特徴とする球技用透明ボール。
【請求項２】
透明性を有する中空の表層部材と、
前記表層部材の内周側空間に収容され、区分けされた複数の室が組み合わされた際に全体として略球状に形成されつつ中心側に球状空間を構成するように形成される、透明性を有する分室構造チューブと、
中心近傍に設けられた外部から視認可能な中心体と、
を備え、
前記中心体は、前記分室構造チューブの、前記球状空間に面する部位に彩色が施されることにより、或いは、該部位に装着されるパネルに彩色が施されることにより形成されることを特徴とする球技用透明ボール。
【請求項３】
前記分室構造チューブは、内部に空気が充填される中空成形体であることを特徴とする請求項１又は２記載の球技用透明ボール。
【請求項４】
前記表層部材に開けられた、前記分室構造チューブの一つの室に連通する単一の空気穴と、
前記分室構造チューブの各室を前記一つの室に連通させる空気通路と、
を備えることを特徴とする請求項３記載の球技用透明ボール。
【請求項５】
前記分室構造チューブは、互いに同じ形状を有する６つの室に区分けされていることを特徴とする請求項１乃至４の何れか一項記載の球技用透明ボール。
【手続補正２】
【補正対象書類名】明細書
【補正対象項目名】０００６
【補正方法】変更
【補正の内容】
【０００６】
上記の目的は、透明性を有する中空の表層部材と、前記表層部材の内周側空間に収容され、区分けされた複数の室が組み合わされた際に全体として略球状に形成されつつ中心側に球状空間を構成するように形成される、透明性を有する分室構造チューブと、中心近傍に設けられた外部から視認可能な中心体と、を備え、前記中心体は、前記球状空間に封入される彩色された中心球であり、外壁面全周が該分室構造チューブの内壁に接して取り囲まれることで該分室構造チューブにより支持される球技用透明ボールにより達成される。
また、上記の目的は、透明性を有する中空の表層部材と、前記表層部材の内周側空間に収容され、区分けされた複数の室が組み合わされた際に全体として略球状に形成されつつ中心側に球状空間を構成するように形成される、透明性を有する分室構造チューブと、中心近傍に設けられた外部から視認可能な中心体と、を備え、前記中心体は、前記分室構造チューブの、前記球状空間に面する部位に彩色が施されることにより、或いは、該部位に装着されるパネルに彩色が施されることにより形成される球技用透明ボールにより達成される。